(57)【要約】【課題】  太陽光発電の発電電力量と太陽熱温水器による発熱熱量を独立に且つ一括管理する。【解決手段】  太陽光発電装置２の発電電力を計測する第１計測装置４と、太陽熱温水器３の生成する熱量を計測する第２計測装置５と、第１計測装置４及び第２計測装置５の出力データを基に発電電力量及び生成熱量の累計を演算する管理サーバ６と、管理サーバ６の演算結果を表示するパーソナルコンピュータ７とを有し、太陽熱温水器３が水を加熱するソーラーパネル３１と加熱された水を貯湯する貯湯タンク３２とを有し、ソーラーパネル３１を通過する水の流量を計測する流量計３３と、ソーラーパネル３１へ流入する水の温度を計測する第１温度センサ３４と、流出する水の温度を計測する第２温度センサ３５とを備えて、第２計測装置５は流量計３３の流量データと第１温度センサ３４及び第２温度センサ３５の温度データとを基に発熱熱量を計測する。【選択図】  図１
2014047939.tif 000002
【特許請求の範囲】
【請求項１】
太陽光発電装置の発電電力を計測する第１計測装置と、
太陽熱温水器の生成する熱量を計測する第２計測装置と、
前記第１計測装置及び前記第２計測装置の出力データを基に発電電力量及び生成熱量の累計を演算する演算装置と、
前記演算装置の演算結果を表示する表示装置とを有し、
前記太陽熱温水器が、水を加熱するソーラーパネルと加熱された水を貯湯する貯湯タンクとを有すると共に、
前記ソーラーパネルを通過する水の流量を計測する流量計と、前記ソーラーパネルへ流入する水温を計測する第１温度センサと、流出する水温を計測する第２温度センサとを備えて、前記第２計測装置は前記流量計の流量データと前記第１温度センサ及び第２温度センサの温度データとを基に前記ソーラーパネルによる発熱熱量を計測することを特徴とする生成エネルギー管理装置。
【発明の詳細な説明】
【技術分野】
【０００１】
本発明は、太陽光発電電力や太陽熱温水器の発熱熱量を管理する生成エネルギー管理装置に関する。
【背景技術】
【０００２】
従来、太陽光発電の発電電力と太陽熱温水器の発熱熱量を管理する装置として特許文献１に記載されたものがあった。特許文献１では、太陽光発電により発電して消費された電力と、太陽熱温水器により生成して消費された熱量とを基に、削減されたエネルギーを料金等に換算して表示するよう構成されている。
【先行技術文献】
【特許文献】
【０００３】
【特許文献１】特開２０１２−６８７９１号公報
【発明の概要】
【発明が解決しようとする課題】
【０００４】
しかしながら、太陽光発電の場合は発電した電力を売電できるため、節約量を把握することは利用者がエネルギーの節約を意識し易い点で有効であったが、水を加熱するに要した熱量は売電に供しないし電気に変換することもないため、利用者がエネルギーの節約と結びつけるにはしっくりいくものではなかった。
そのため、太陽熱温水器により生成した熱量を単独で把握することが好ましい。一方で、太陽光発電装置や太陽熱温水器は何れも太陽光を利用するものであり、自然エネルギーの中でも同一の枠で括られるべき性質のエネルギーであるから、一括管理する装置が望ましい。
【０００５】
また、太陽熱温水器の場合、生成した温水は一旦貯湯タンクに貯湯されて、使用する場合は貯湯タンクから取り出して使用される形態が一般的であるが、上記特許文献１の発熱熱量を管理する技術はこのような形態のエネルギー管理には適していなかった。即ち、太陽熱温水器から貯湯タンクに貯湯される温水の熱量を精度良く把握することが難しかった。
【０００６】
そこで、本発明はこのような問題点に鑑み、太陽光発電の発電電力量と太陽熱温水器による発熱熱量を独立に且つ一括して管理できる生成エネルギー管理装置を提供することを目的としている。
【課題を解決するための手段】
【０００７】
上記課題を解決する為に、請求項１の発明は、太陽光発電装置の発電電力を計測する第１計測装置と、太陽熱温水器の生成する熱量を計測する第２計測装置と、前記第１計測装置及び前記第２計測装置の出力データを基に発電電力量及び生成熱量の累計を演算する演算装置と、前記演算装置の演算結果を表示する表示装置とを有し、前記太陽熱温水器が、水を加熱するソーラーパネルと加熱された水を貯湯する貯湯タンクとを有すると共に、前記ソーラーパネルを通過する水の流量を計測する流量計と、前記ソーラーパネルへ流入する水温を計測する第１温度センサと、流出する水温を計測する第２温度センサとを備えて、前記第２計測装置は前記流量計の流量データと前記第１温度センサ及び第２温度センサの温度データとを基に前記ソーラーパネルによる発熱熱量を計測することを特徴とする。
【発明の効果】
【０００８】
本発明によれば、太陽光発電の発電電力量と太陽熱温水器による生成熱量の累計を一括管理でき、太陽光を利用して生成したエネルギーの管理がし易い。また、太陽熱温水器により生成される熱量の計測は、ソーラーパネルによる水温の温度変化量と加熱された水量とを基に演算するため、生成熱量を精度良く計測できる。
【図面の簡単な説明】
【０００９】
【図１】本発明に係る生成エネルギー管理装置の一例を示す構成図である。
【図２】第１計測装置の回路ブロック図である。
【図３】第２計測装置のブロック図である。
【図４】管理サーバのブロック図である。
【図５】発電電力量表示の一例を示す画面図である。
【図６】発電電力量表示の一例を示す画面図である。
【図７】発電電力量表示の一例を示す画面図である。
【図８】生成熱量表示の一例を示す画面図である。
【図９】生成熱量表示の一例を示す画面図である。
【図１０】生成熱量表示の一例を示す画面図である。
【発明を実施するための形態】
【００１０】
以下、本発明を具体化した実施の形態を、図面を参照して詳細に説明する。図１は本発明に係る生成エネルギー管理装置の一例を示す構成図であり、１は分電盤、２は太陽光発電装置、３は太陽熱温水器、４は分電盤１内に設置されて太陽光発電装置２により発電した電力を計測する第１計測装置、５は太陽熱温水器による生成熱量を計測する第２計測装置、６は発電電力量及び生成熱量の累計等を演算する演算装置としての管理サーバ、７は表示装置としてのディスプレイ７ａを備えたパーソナルコンピュータである。
【００１１】
分電盤１には、第１計測装置４に加えて、主幹ブレーカ１１、空調機や照明等各種負荷に電力を供給するための複数の分岐ブレーカ１２、太陽光発電装置２が接続される開閉器１３等が設置される。１４は太陽光発電装置２の発電電流を計測する電流センサとしての変流器である。
【００１２】
太陽光発電装置２は、太陽電池パネル２１、太陽電池パネル２１で発電した電気を集めるための接続箱２２、発電された電気を商用電力に連系させるためのパワーコンディショナー２３等を備えている。
【００１３】
太陽熱温水器３は、太陽熱を集熱する集熱器を備えて水を加熱するソーラーパネル３１と、加熱した水（温水）を貯湯する貯湯タンク３２で構成されて、両者の間にソーラーパネル５へ水が流入させる給水管Ｗ１と、加熱された温水が貯湯タンク３２に流出する貯湯管Ｗ２とが配設されている。この給水管Ｗ１に流量計３３と第１温度センサ３４が設置され、貯湯管Ｗ２に第２温度センサ３５が設置されている。
【００１４】
図２は第１計測装置４の回路ブロック図を示している。この図２に示すように、第１計測装置４は、電圧情報入力部４１、電流情報入力部４２、電力計測処理部４３、演算処理部４４、記憶部４５、管理サーバ６と通信するためのＬＡＮインターフェース（ＬＡＮＩＦ）４６等を備えている。電圧情報入力部４１は分電盤１内の電路Ｌ１が接続され、電路電圧（発電電圧でもある）情報が入力される。電流情報入力部４２には、太陽光発電装置２が接続される開閉器１３の分岐電路Ｌ２に変流器１４が接続されて、その電流情報が入力される。電力計測処理部４３は、入力される電圧情報及び電流情報電力から電力を演算する。演算処理部４４の制御で電力計測処理を実施し、算出結果がＬＡＮＩＦ４６から出力される。また、演算された電力量データは記憶部４５に記憶される。
【００１５】
図３は第２計測装置５の回路ブロック図を示している。この図３に示すように、第２計測装置５は、センサ信号入力部５１、演算処理部５２、信号出力部５３等を備えている。センサ信号入力部５１には、流量計３３、第１温度センサ３４、第２温度センサ３５のそれぞれの計測信号が入力され、演算処理部５２において熱量が演算される。このとき演算処理部５２は、所定量の熱量をカウントする毎（例えば、１ＭＪの熱量をカウントする毎）にパルス信号を信号出力部５３から出力させる。
【００１６】
図４は管理サーバ６の回路ブロック図を示している。図４に示すように、管理サーバ６は、第１計測装置４及びパーソナルコンピュータ７と通信するためのＬＡＮインターフェース（ＬＡＮＩＦ）６１、第２計測装置５から熱量データを入手するための信号入力部６２、発電電力量に加えて熱量の累計を演算するサーバＣＰＵ６３、演算結果を記憶するサーバ記憶部６４等を備えている。
また、サーバＣＰＵ６３はＷＥＢページ作成機能を有し、パーソナルコンピュータ７からの閲覧要求に対して、演算した発電電力量や生成熱量の累計データをＷＥＢページ上にグラフ等で表示した画像データを作成して送信する。
【００１７】
サーバＣＰＵ６３は、第１計測装置４から伝送された発電電力データを基に、電力量等を所定の時間間隔（例えば１０分間隔）で演算し、演算結果はサーバ記憶部６４に記憶される。また、第２計測装置５から伝送された熱量データを基に、単位時間（例えば１時間）あたりの発熱量を演算し、演算結果はサーバ記憶部６４に記憶される。
【００１８】
図５〜図１０は上記構成の生成エネルギー管理装置が計測して作成したＷＥＢページをパーソナルコンピュータ７のディスプレイ７ａに表示した表示画面の一例を示している。図５〜図７は発電量を表示し、図５は１日の発電状況を時間毎に折れ線グラフで表示している。図６では１週間の発電電力量と使用電力量を表示し、図７は月別の発電電力量と消費電力量を表示している。尚、消費電力量は、各分岐ブレーカ１２に流れる負荷電流を計測することで算出される。
図８〜図１０は太陽熱温水器の発熱量を表示している。図８は１日生成熱量を１時間単位で表示している。図９は１週間の生成熱量を前の週の生成熱量と比較して示し、図１０は月別の生成熱量を表示している。これらの表示の切り替えは、パーソナルコンピュータ７の所定の切替操作により実施される。
【００１９】
このように、太陽光発電装置の発電電力量と太陽熱温水器による生成熱量の累計を独立に且つ一括管理でき、太陽光を利用して生成したエネルギーの管理がし易い。また、太陽熱温水器３により生成される熱量の計測は、ソーラーパネル３１による水温の温度変化量と加熱された水量とを基に演算するため、生成熱量を精度良く計測できる。
【００２０】
尚、上記実施形態は、第１計測装置４が分電盤１に組み込まれているが、管理サーバ６と一体に構成しても良い。また、太陽熱温水器３の流量を計測する流量計３３を、ソーラーパネル３１の給水管Ｗ１に設置しているが、貯湯管Ｗ２に設置しても良い。
【符号の説明】
【００２１】
１・・分電盤、２・・太陽光発電装置、３・・太陽熱温水器、４・・第１計測装置、５第２計測装置、６・・管理サーバ（演算装置）、７・・パーソナルコンピュータ（表示装置）、１４・・変流器（電流センサ）、２１・・太陽電池パネル、３１・・ソーラーパネル、３２・・貯湯タンク、３３・・流量計、３４・・第１温度センサ、３５・・第２温度センサ。
【図１】
2014047939.tif 000003
【図２】
2014047939.tif 000004
【図３】
2014047939.tif 000005
【図４】
2014047939.tif 000006
【図５】
2014047939.tif 000007
【図６】
2014047939.tif 000008
【図７】
2014047939.tif 000009
【図８】
2014047939.tif 000010
【図９】
2014047939.tif 000011
【図１０】
2014047939.tif 000012